(57)【要約】【課題】戸開時間延長機能の解除を適正に行うことができるエレベータドア制御装置を提供することである。【解決手段】戸開制御部は、戸開延長釦またはホール呼び釦から戸開延長指令が入力されたときは戸開延長機能を動作させ、その旨を戸開延長表示器または音声出力装置に出力する。また、戸閉釦またはホール呼び釦から戸開延長解除指令が入力されたときは戸開延長機能を解除し、その旨を戸開延長表示器または音声出力装置に出力する。これにより、戸開時間延長の機能の動作や解除を利用者および他の階で待機している利用者に知らせることができる。【選択図】　図１
2004107063.tif 000002
【特許請求の範囲】
【請求項１】
ホール操作盤に設けられエレベータのカゴを呼ぶためのホール呼び釦と、カゴ内操作盤に設けられカゴが階床で戸開した状態で戸開延長機能を動作させるための戸開延長釦と、カゴ内操作盤に設けられ戸開状態のドアを戸閉させると共に戸開延長機能が動作しているときは戸開延長機能の動作を解除させて戸閉させる戸閉釦と、前記ホール操作盤に設けられある階床で戸開延長が行われていることを表示する戸開延長表示器と、前記ホール操作盤に設けられある階で戸開延長が行われていることを音声出力する音声出力装置と、前記戸開延長釦または前記ホール呼び釦から戸開延長指令が入力されたときは戸開延長機能を動作させ前記戸閉釦または前記ホール呼び釦から戸開延長解除指令が入力されたときは戸開延長機能を解除すると共にその旨を前記戸開延長表示器または前記音声出力装置に出力する戸開制御部とを備えたことを特徴とするエレベータドア制御装置。
【請求項２】
前記戸開制御部は、前記ホール呼び釦が所定時間内に一定回数以上連続して操作されたときは戸開延長機能を動作させ、戸開延長機能が動作している状態で前記ホール呼び釦が所定時間内に一定回数以上連続して操作されたときは戸開延長機能を解除することを特徴とする請求項１記載のエレベータドア制御装置。
【請求項３】
前記戸開制御部は、戸開延長機能の動作中に前記ホール呼び釦により戸開延長解除指令が出力されたときは、その旨を前記戸開延長表示器または前記音声出力装置に出力すると共に所定時間内に前記戸開延長釦が操作されたときは、さらに一定時間だけ戸開延長を行うことを特徴とする請求項２記載のエレベータドア制御装置。
【発明の詳細な説明】
【０００１】
【発明の属する技術分野】
本発明は、戸開時間延長の機能を有したエレベータドア制御装置に関する。
【従来の技術】
一般に、エレベータドア制御装置は戸開時間を延長させる機能を有しており、ドアの戸開時間が一定時間延長できるようになっている。例えば、荷物の搬出時において、カゴ内の戸開延長釦を押して戸開時間の延長機能を働かせ、荷物の運搬途中にドアが戸閉する危険を防いでいる。
【０００２】
この場合、荷物をホール側へ一度移動させた後に、再度カゴ内に設けられている操作盤の戸閉釦を押すことで、戸開時間の延長機能を解除し戸閉させている。
【０００３】
【発明が解決しようとする課題】
ところが、戸開時間の延長機能を解除して戸閉動作させるためには、カゴ内の操作盤に設けられている戸閉釦を押して行うことになるので、荷物の搬出後にカゴ内に一度戻らなければならない手間がある。
【０００４】
また、利用者が戸閉釦を押すことを忘れた場合、戸開時間が延長されたままになり、エレベータは戸開時間の設定が終了するまで着床階に放置されたままになる。戸開時間延長の利用者は、他の階で待機している利用者がいるかどうか認識できないことから、他の階で待機している利用者が居るにもかかわらず戸開時間を延長し続けた場合には、他の階で待機している利用者に対して不快感を与えてしまう。また、他の階で待機している利用者は、戸開時間を短縮させることができない。
【０００５】
本発明の目的は、戸開時間延長機能の解除を適正に行うことができるエレベータドア制御装置を提供することである。
【０００６】
【課題を解決するための手段】
請求項１の発明に係るエレベータドア制御装置は、ホール操作盤に設けられエレベータのカゴを呼ぶためのホール呼び釦と、カゴ内操作盤に設けられカゴが階床で戸開した状態で戸開延長機能を動作させるための戸開延長釦と、カゴ内操作盤に設けられ戸開状態のドアを戸閉させると共に戸開延長機能が動作しているときは戸開延長機能の動作を解除させて戸閉させる戸閉釦と、前記ホール操作盤に設けられある階床で戸開延長が行われていることを表示する戸開延長表示器と、前記ホール操作盤に設けられある階で戸開延長が行われていることを音声出力する音声出力装置と、前記戸開延長釦または前記ホール呼び釦から戸開延長指令が入力されたとき戸開延長機能を動作させ前記戸閉釦または前記ホール呼び釦から戸開延長解除指令が入力されたときは戸開延長機能を解除すると共にその旨を前記戸開延長表示器または前記音声出力装置に出力する戸開制御部とを備えたことを特徴とする。
【０００７】
請求項１の発明に係るエレベータドア制御装置においては、戸開制御部は、戸開延長釦またはホール呼び釦から戸開延長指令が入力されたときは戸開延長機能を動作させ、その旨を戸開延長表示器または音声出力装置に出力する。また、戸閉釦またはホール呼び釦から戸開延長解除指令が入力されたときは戸開延長機能を解除し、その旨を戸開延長表示器または音声出力装置に出力する。例えば、戸開延長機能が動作したときはホール操作盤の戸開延長表示器を点灯し戸開延長解除指令が出力されたときは戸開延長表示器を点滅表示する。同様に、戸開時間が延長または短縮されたことを音声出力装置にアナウンスする。これにより、戸開時間延長の機能の動作や解除を利用者および他の階で待機している利用者に知らせることができる。
【０００８】
請求項２の発明に係るエレベータドア制御装置は、請求項１の発明において、前記戸開制御部は、前記ホール呼び釦が所定時間内に一定回数以上連続して操作されたときは戸開延長機能を動作させ、戸開延長機能が動作している状態で前記ホール呼び釦が所定時間内に一定回数以上連続して操作されたときは戸開延長機能を解除することを特徴とする。
【０００９】
請求項２の発明に係るエレベータドア制御装置においては、請求項１の発明の作用に加え、戸開制御部は、ホール呼び釦が所定時間内に一定回数以上連続して操作されたときは戸開延長機能を動作させる。例えば、３回連続してホール呼び釦が操作されたときはカゴがその階床に到着すると戸開延長機能を動作させる。一方、他の階床で戸開延長機能が動作している状態でホール呼び釦が所定時間内に一定回数以上連続して操作されたときは戸開延長機能を解除する。例えば、他の階床で戸開延長機能が動作している状態で、３回連続してホール呼び釦が操作されたときは、所定時間の経過後に戸開延長機能を解除する。これにより、他の階で待機している利用者は、その階のホール操作盤のホール呼び釦を３回押すことにより、延長されていた戸開時間を短縮できる。
【００１０】
請求項３の発明に係るエレベータドア制御装置は、請求項２の発明において、前記戸開制御部は、戸開延長機能の動作中に前記ホール呼び釦により戸開延長解除指令が出力されたときは、その旨を前記戸開延長表示器または前記音声出力装置に出力すると共に所定時間内に前記戸開延長釦が操作されたときは、さらに一定時間だけ戸開延長を行うことを特徴とする。
【００１１】
請求項３の発明に係るエレベータドア制御装置においては、請求項２の発明の作用に加え、戸開制御部は、戸開延長機能の動作中にホール呼び釦により戸開延長解除指令が出力されたときは、その旨を戸開延長表示器または音声出力装置に出力すると共に所定時間内に戸開延長釦が操作されたときは、さらに一定時間だけ戸開延長を行う。これにより、着床階で戸開時間延長している利用者は、戸開延長表示器および音声出力装置により他の階床の利用者が戸開時間延長の解除を望んでいることを認識させることができる。このときに、着床階で戸開時間を延長している利用者は、戸開時間をさらに延長させたい場合には、カゴ内に設けられている戸開延長釦によって戸開時間を特定時間だけ延長することができる。
【００１２】
【発明の実施の形態】
以下、本発明の実施の形態を説明する。図１は本発明の実施の形態に係るエレベータドア制御装置のブロック構成図である。
【００１３】
各階の階床にはホール操作盤１が設けられ、カゴ内にはカゴ内操作盤２が設けられる。ホール操作盤１およびカゴ内操作盤２はエレベータを走行制御する制御盤３に接続されている。
【００１４】
各階床のホール側に設けられているホール操作盤１には、ホール呼び釦４ａ、４ｂ、戸開延長表示器５、音声出力装置６が設けられている。ホール呼び釦４ａは上方階に向かうカゴを呼び出すためのホール呼び釦であり、ホール呼び釦４ｂは下方か居に向かうカゴを呼び出すためのホール呼び釦である。戸開延長表示器５はいずれかの階床で戸開延長されている場合にその旨を表示するものであり、例えば戸開延長されている場合に点灯する。また、音声出力装置６はいずれかの階床で戸開延長されている場合にその旨を音声出力するものである。
【００１５】
カゴ内操作盤２には、戸閉釦７および戸開釦８、戸開延長釦９、カゴ内呼び釦１０が設けられている。戸閉釦７はドアを戸閉するための釦であり、戸開釦８はドアを戸開するための釦である。戸開延長釦９はカゴが階床で戸開した状態で戸開延長機能を動作させるための釦であり、カゴ内呼び釦１０は行き先階を入力するための釦である。
【００１６】
制御盤３内には、戸開延長指令が入力されたときは戸開延長機能を動作させ、戸開延長解除指令が入力されたときは戸開延長機能を解除する戸開制御部１１が設けられている。本発明の実施の形態では、戸開延長指令は戸開延長釦９またはホール呼び釦４ａ、４ｂから入力され、戸開延長解除指令は戸閉釦７またはホール呼び釦４ａ、４ｂから入力される。
【００１７】
ホール呼び釦４ａ、４ｂからの戸開延長指令は、戸開延長機能が動作していない状態でホール呼び釦４ａ、４ｂを一定回数連続して押すことにより入力され、一方、戸開延長解除指令は戸開延長機能が動作している状態でホール呼び釦４ａ、４ｂを一定回数連続して押すことにより入力される。例えば、ホール呼び釦４ａ、４ｂを３回連続して押すことにより入力される。
【００１８】
戸開制御部１１は、戸開延長設定記憶回路１２、戸開時間開始指令回路１３、ドアコントロール回路１４から構成される。戸開延長釦９またはホール呼び釦４ａ、４ｂからの戸開延長指令は戸開延長設定記憶部１２に入力され、カゴが目的階に着床したときにはドアコントロール回路１４は戸開時間を延長するようにドアの開閉制御を行うと共に、戸開時間開始指令回路１３は音声出力装置５および戸開延長表示器６に戸開延長機能が動作していることを出力する。
【００１９】
いま、ホール呼び釦４ａ、４ｂを３回連続して押して戸開延長指令を出力したとすると、その信号は戸開制御部１１の戸開延長設定記憶回路１２に入力され記憶される。一方、ホール呼び釦４ａ、４ｂの入力信号はホール呼び登録回路１５に入力されエレベータ走行指令回路１６に入力される。エレベータ走行指令回路１６によりカゴが走行制御され、カゴが目的階床に着くとホール呼び登録階到着検出回路１７が動作し、戸開時間開始指令回路１３を動作させる。
【００２０】
戸開時限開始指令回路１３は戸開延長設定記憶回路１２に戸開延長が記憶されている場合には、カゴが目的階床に到着したときは、戸開時間延長を戸開延長表示器６に出力すると共に音声出力装置５にアナウンス出力する。そして、ドアコントロール回路１４は戸開延長の制御を行う。
【００２１】
一方、カゴ内呼び釦１０からの行き先階はカゴ呼び登録回路１８に入力され、エレベータ走行指令回路１６に入力される。エレベータ走行指令回路１６によりカゴが走行制御され、カゴが目的階床に着くとカゴ呼び登録階到着検出回路１９が動作する。そして、カゴが目的階床に到着してからの戸開延長釦９による戸開延長指令は戸開延長設定記憶回路１２に入力され、戸開時間開始指令回路１３を動作させる。この場合、戸開時限開始指令回路１３は戸開時間延長を戸開延長表示器６に出力すると共に音声出力装置５にアナウンス出力する。そして、ドアコントロール回路１４は戸開延長の制御を行う。
【００２２】
図２は本発明の実施の形態におけるエレベータドア制御装置の動作を示すフローチャートである。
【００２３】
ホール呼び登録回路１５はホ一ル呼びが登録された否か判定し（Ｓ１）、ホール呼び登録がされた場合にはエレベータ走行指令回路１６はホール呼び登録階ヘカゴを走行する（Ｓ２）。次に、ホール呼び釦４ａ、４ｂによる戸開延長指令が入力されているか否かを判定する（Ｓ３）。これは、例えばホール呼び釦４ａ、４ｂが３回連続して押されている場合には、戸開制御部１１内の戸開延長設定記憶回路１２に戸開延長が登録されるので、戸開延長設定記憶回路１２に戸開延長指令が登録されたか否かで判定される。
【００２４】
ホール呼び釦４ａ、４ｂによる戸開延長が登録されていない場合は、カゴが目的階床に到着後に戸開し（Ｓ４）、カゴ内の戸開延長釦９が押されているか否かを判定する（Ｓ５）。戸開延長ボタンが押されていないときは通常の時限が満了したか否かを判定し（Ｓ６）、時限が満了後したときは、さらにカゴ呼び釦１０が押されたか否かを判定する（Ｓ７）。カゴ呼び行き先階が登録されているときは、戸閉してその行き先階にカゴを走行する（Ｓ８）。一方、カゴ呼び行き先階の登録がないときは戸閉してそのホール呼び登録階で待機する（Ｓ９）。
【００２５】
一方、ステップＳ３の判定で、ホール呼び釦４ａ、４ｂによる戸開延長指令が入力されているときは、カゴが目的階床に到着後に戸開し（Ｓ１０）、戸開延長を行う（Ｓ１１）。この戸開延長はステップＳ５の判定で戸開延長釦９が押されている場合にも行われる。そして、戸開延長したことを音声出力装置５および戸開延長表示器６に出力する（Ｓ１２）。例えば、戸開延長表示器６は点灯表示され、音声出力装置５には戸開延長中であることが音声で出力される。
【００２６】
次に、戸開延長中において、他の階床での利用者のホール呼び釦４ａ、４ｂによる戸開延長解除指令があるか否かを判定し（Ｓ１３）、ホール呼び釦４ａ、４ｂによる戸開延長解除指令がない場合には、カゴ内の戸閉釦７が押されたか否かを判定する（Ｓ１４）。カゴ内の戸閉釦７が押されていない場合には戸開延長が継続されている状態であるので、戸開延長時限が満了したか否かを判定し（Ｓ１５）、戸開延長時限が満了していないときはステップＳ１３に戻る。一方、ステップＳ１４の判定でカゴ内の戸閉釦７が押されたときは戸開延長が解除されたときであり、ステップＳ１５の判定で戸開延長時限が満了したときは戸開延長が解除されたときであるので、戸開延長出力を解除しステップＳ７の処理に移行する（Ｓ１６）。
【００２７】
次に、ステップＳ１３の判定で、ホール呼び釦４ａ、４ｂによる戸開延長解除があった場合は、戸開延長表示器６および音声出力装置５に戸開延長解除の要求があった旨を出力する（Ｓ１７）。例えば、戸開延長表示器６は点滅表示とし、また音声出力装置５には戸開延長会場の要求があった旨の音声出力がなされる。そして、カゴ内の戸開延長釦９が押されたか否かを判定する（Ｓ１８）。カゴ内の戸開延長釦９が押されたときはさらに戸開延長を継続する旨を戸開延長表示器６および音声出力装置５に出力する（Ｓ１９）。そして、さらに特定時間だけ戸開を継続しその後に戸閉し（Ｓ２０）、ステップＳ１６の処理に移行する。
【００２８】
このように、ホール呼び釦４ａ、４ｂによる戸開延長解除があった場合には、カゴ内の戸開延長釦９によりさらに戸開延長を行うことができるようにしており、特定時間だけ戸開を継続する。
【００２９】
このように、本発明の実施の形態では、各階床のホール操作盤のホール呼び釦について、そのホール呼び釦を一定回数連続（例えば３回連続）して押すことにより、到着階のカゴの戸開時間を一定時間延長させたり、既に戸開延長中である場合には戸開時間を短縮させることができる。
【００３０】
また、戸開延長や解除要求に応じて戸開延長表示器６を点灯または点滅表示すると共に、戸開時間が延長または短縮されたことをアナウンスする音声出力装置によって戸開時間延長の機能を利用者および他の階で待機している利用者に知らせることができる。
【００３１】
また、荷物の搬出時において、カゴ内の戸開延長釦９により戸開時間が延長されているときに、荷物をホール側へ搬出する作業が終了した場合でも、ホール操作盤のホール呼び釦を一定回数連続して押すことにより、戸開延長を解除することができるので、延長されていた戸開時間を短縮できる。この場合、戸開延長表示器は点灯表示から点滅表示に変わり、また、音声出力装置からは戸開時間延長が短縮されたことを認識させるアナウンスが流れることにより、利用者は戸開時間が短縮されたことを確認することができる。
【００３２】
また、戸開時間が延長されている場合に、他の階で待機している利用者は、その階のホール操作盤のホール呼び釦により、着床階で戸開時間を延長している利用者に対して戸開時間延長表示器６および音声出力装置５により戸開時間延長を解除してほしいことを認識させることができる。このときに、着床階で戸開時間を延長している利用者が戸開時間をさらに延長させたい場合には、カゴ内に設けられている戸開延長釦９によって戸開時間を特定時間だけ延長することができる。
【００３３】
【発明の効果】
以上述べたように、本発明によれば、荷物の搬入時にホール側で待機している利用者は、各階床のホール操作盤のホ一ル呼び釦により、到着階の戸開時間を一定時間延長することができる。また、利用者は戸開時間が延長されたことを戸開延長表示器や音声出力装置により確認することができる。
【００３４】
また、カゴ内の戸開延長釦により戸開時間を延長しているときに、荷物をホ一ル側に搬出する作業が終わった場合でも、カゴ内に再度戻らないでホール呼び釦をにより、延長されていた戸開時間を解除できる。
【００３５】
また、戸開時間が延長されている場合に、他の階で待機している利用者は、その階のホール呼び釦により、戸開延長解除要求を入力できるので、カゴが着床階で戸開延長状態のまま放置されることがなくなると共に、着床階で戸開時間を延長している利用者に対し戸開延長表示器および音声出力装置を通じて戸開時間延長を解除してほしいことを認撒させることができる。
【００３６】
このときに、着床階で戸開時間を延長している利用者がさらに戸開時間を延長させたい場合には、カゴ内に設けられている戸開延長釦によって戸開時間を特定時間だけ延長することができ、他の階で待機している利用者に戸開時間が特定時問だけ延長された情報を認識させることができる。
【図面の簡単な説明】
【図１】図１は、本発明の実施の形態に係るエレベータドア制御装置のブロック構成図である。
【図２】図２は、本発明の実施の形態に係るエレベータドア制御装置の動作を示すフローチャートである。
【符号の説明】
１…ホール操作盤、２…カゴ内操作盤、３…制御盤、４…ホール呼び釦、５…戸開延長表示器、６…音声出力装置、７…戸閉釦、８…戸開釦、９…戸開延長釦、１０…カゴ内呼び釦、１１…戸開制御部、１２…戸開延長設定記憶回路、１３…戸開時間開始指令回路、１４…ドアコントロール回路、１５…ホール呼び登録回路、１６…エレベータ走行指令回路、１７…ホール呼び登録階到着検出回路、１８…カゴ呼び登録回路、１９…カゴ呼び登録階到着検出回路
【図１】
2004107063.tif 000003
【図２】
2004107063.tif 000004